(57)【要約】【課題】上位局と伝送回線で接続する親の無線基地局がさらに別の伝送回線を介して子の無線基地局と接続している場合（デージーチェーン構成）、伝送回線から選択するクロックが断になると基地局間でクロックが従属する相互同期状態になりクロックが不安定になる。【解決手段】上位局と直接接続する親の無線基地局は、上位局との間でパスを設定するとき、上位局からの命令を受けて、子の無線基地局に接続する伝送回線をクロック選択候補から除外し、かつ子の無線基地局と上位局の接続を中継する。【選択図】　　　図１
2004032451.tif 000002
【特許請求の範囲】
【請求項１】
上位通信局と伝送回線で接続された基地局におけるクロック選択方法であって、
前記上位通信局と基地局との間の通信路パス確立に際し上位通信局からの指令に基づき該基地局がクロック選択する伝送回線を決定することを特徴とするクロック選択方法。
【請求項２】
前記上位通信局と第１の伝送回線で接続される第１の基地局と、該第１の基地局に第２の伝送回線を介して接続する第２の基地局がある場合、上位通信局からの前記指令を受けた第１の基地局は該第１の基地局を経由した上位通信局と第２の基地局との間の通信路パスを設定する請求項１記載のクロック選択方法。
【請求項３】
前記上位通信局からの指令を受け、前記第１の基地局はクロック選択が可能な伝送回線から前記第２の基地局と接続する第２の伝送回線を排除する請求項２記載のクロック選択方法。
【請求項４】
前記第１の基地局と上位通信局との間には第１の伝送回線が複数配置される請求項２記載のクロック選択方法。
【請求項５】
前記第１の基地局と第２の基地局との間には前記第２の伝送回線が複数配置される請求項２記載のクロック選択方法。
【請求項６】
前記第１の基地局に複数の第２の基地局が接続する請求項２記載のクロック選択方法。
【請求項７】
前記第１の基地局においてクロック選択が可能な複数の伝送回線のうち優先度の低い伝送回線にクロック選択が移った後、優先度の高い伝送回線が復旧しても、クロック選択する伝送回線をそのまま維持する請求項４記載のクロック選択方法。
【請求項８】
前記基地局はクロック生成回路を備える請求項１記載のクロック選択方法。
【発明の詳細な説明】
【０００１】
【発明の属する技術分野】
本発明はクロック従属同期方法に関し、たとえば上位局と伝送回線を介して接続する無線基地局において従属同期する基準クロック信号の選択に関する。
【０００２】
【従来の技術】
通信ネットワーク等において、複数の通信局間で通信を行うためには、共通のクロックを用いる網同期が必要である。このための方式として主通信局の基準クロックを複数の端局が従属使用する従属同期方式が広く用いられている。ここでは主通信局が備える発振器が標準クロックを出力し、この標準クロックは伝送回線を経由して各端局へ送られる。端局は伝送回線から抽出した標準クロックに従属するクロックを自局のクロックとして分配する。
【０００３】
一方、携帯電話システムの無線基地局装置においては、パケット対応基地局装置との併設等により、デージーチェーン構成をとる基地局が増大している。この構成では、一部の無線基地局（子局）が上位通信局と直接に接続する伝送回線を持たず、親の無線基地局と伝送回線で接続し、この親の基地局を介して上位通信局と通信を行う。
【０００４】
図５（ａ）、（ｂ）、（ｃ）は、携帯電話システムにおける無線基地局と上位局との回線接続構成の例を示す。図５（ａ）は、無線基地局が伝送路網を介して例えば１．５Ｍｂｐｓの伝送回線（１．５Ｍ−ＨＷＹ）１本で上位局と接続される基本構成を示す。図５（ｂ）は伝送容量が大きくなった場合に２本の伝送回線が配置される例を示す。図５（ｃ）は上記デージーチェーン構成の例である。この構成は、各無線基地局がそれぞれ上位局との間で独自の伝送回線を保有するのでなく、子の無線基地局が親の無線基地局を介して上位通信局と通信を行う構成である。親の無線基地局は自局と上位局との間のデータ通信のみならず、子の無線基地局と上位局との通信データ（例えばレイヤ１レベル）の中継も行う。親の無線基地局は２本目の回線接続先について上位局との立ち上げ手順の中で認識することができる。この構成は複数の無線基地局において上位局との間の伝送回線を１本に集約できるため伝送路費用が削減できる利点がある。子の無線基地局が２以上の場合も有効である。
【０００５】
【発明が解決しようとする課題】
しかし、伝送回線に障害が発生した場合、親の基地局と子の基地局が伝送回線で接続されているデージーチェーン構成においては、親の基地局はいったん子の基地局との間の伝送回線より抽出されるクロックに従属同期するが、障害復旧後もこの従属同期を維持する。選択したクロックが断にならない限り、選択クロックが変更されることはない。このため、基地局間にて相互にクロック従属し合い、各基地局の基準クロックは非常に不安定になる。
【０００６】
このような問題点に鑑み、特開平１１−０８８９７２号公報は、各従属局は自局の個別情報と受信した経路情報を併せて従属経路情報として下位の従属局に送り、下位の局は受信した複数の従属経路に対応するクロックの良否を判定してクロックパスを選別する方式を提案している。しかし、この方式は、従属局のハードウェア構成を複雑にするという課題を残している。
【０００７】
本発明の目的は、基地局同士が伝送回線を介して相互に従属しあうことによって、生成されるクロックが不安定となる動作を回避し、かつ基地局のハードウェアを設定変更せずとも、容易にクロックパスの検出、設定変更を可能とすることにある。
【０００８】
【課題を解決するための手段】
本発明のクロック選択方法は、上位通信局と伝送回線で接続された基地局において、上位通信局と基地局との間の通信路パス確立に際し上位通信局からの指令に基づき該基地局がクロック選択する伝送回線を決定する。また上位通信局と第１の伝送回線で接続される第１の基地局と、該第１の基地局に第２の伝送回線を介して接続する第２の基地局がある場合、上位通信局からの指令を受けた第１の基地局は該第１の基地局を経由した上位通信局と第２の基地局との間のパスを設定する。さらに、上位通信局からの指令を受け、第１の基地局はクロック選択可能な伝送回線から第２の基地局と接続する第２の伝送回線を排除する。
【０００９】
第１の基地局と上位通信局との間には第１の伝送回線が複数配置され得る。また第１の基地局と第２の基地局との間には第２の伝送回線が複数配置され得る。また第１の基地局に複数の第２の基地局が接続することができる。
【００１０】
第１の基地局においてクロック選択が可能な複数の伝送回線のうち優先度の低い伝送回線にクロック選択が移った後、優先度の高い伝送回線が復旧しても、クロック選択する伝送回線はそのまま維持することができる。また基地局はクロック生成回路を備えることができる。
【００１１】
このような構成によって、特にデージーチェーン構成の無線基地局において、ハードウェアの変更なしに、確実、容易にクロックパスの選択を行うことができる。
【００１２】
【発明の実施の形態】
図１は、上記図５（ｃ）のデージーチェーン構成の親の無線基地局におけるクロック確立の手順の例を示す。まず親の無線基地局装置が起動後、上位局装置との間でレイヤ１のパスを確立する立ち上げ手順が開始される。上位局にはこの親の無線基地局の接続回線構成が予め入力されている。親の無線基地局が接続する２本の伝送回線のうちの２本目の伝送回線が子の無線基地局装置につながっている場合、立ち上げ手順の中でデージーチェーン命令が上位局装置から送られる。親の無線基地局装置は、このデージーチェーン命令を受け付けた場合、上記２本目の伝送回線が子の無線基地局に接続していることを認識し、自局内のソフトウェアに基づき１本目と２本目の伝送回線間をつなぐ中継パスを設定すると共に、自局でのクロック選択において子の無線基地局につながる２本目の伝送回線をクロック選択の候補から除外する。この後、子の無線基地局装置と上位局装置との間でレイヤ１パスの確立、および立ち上げ手順が実行される。
【００１３】
上位局と親の無線基地局との間の伝送回線が複数ある場合、親の無線基地局ではクロック選択する伝送回線の優先順位が予め設定されている。また子の無線基地局と親の無線基地局の間の伝送回線が複数ある場合でも、子の無線基地局は同様にクロック選択の優先順位が予め設定されている。
【００１４】
このように上記方法では、上位局と親の無線基地局との間の回線を立ち上げるとき、上位局からの命令を受けて、親の無線基地局がクロック選択（すなわちデージーチェーンのレイヤ１パス設定と、子の無線基地局につながる伝送回線のクロック選択からの除外）を自局に設定されたソフトウェアに基づき設定する。このため、無線基地局側でクロックが不安定になることを防止するための特別なハードウェア構成を必要としない。
【００１５】
図２は、無線基地局装置の例を示すブロック図である。無線基地局装置内の基準クロックは、伝送回線から抽出されるクロックに従属同期して生成される。本装置は１．５Ｍ−ＨＷＹを終端する２つのレイヤ１終端部１−１、１−２を備える。クロック生成部２はレイヤ１終端部にて抽出された８ｋＨｚの抽出クロック３に基づく各種クロックを生成する。クロック生成部２は８ｋＨｚのクロックを生成するクロック生成回路と参照すべきクロックを選択するクロック選択回路を備える。クロック生成部２では、ＰＬＬ回路が選択クロックとＶＣＯの出力クロックを分周した８ｋＨｚとの位相比較を行い、差分を電圧値としてＶＣＯへフィードバック出力し基準周波数を調整する。このＶＣＯ周波数がそれぞれ分周回路にて各種基準クロックとして分周・生成される。
【００１６】
無線基地局装置は、さらにレイヤ２終端部４と主制御部５を備える。レイヤ２終端部４は、１．５Ｍ−ＨＷＹを介した上位局との通信プロトコルを終端し、主制御部５へメッセージを中継する。主制御部５は、制御バス６を介して、レイヤ２終端部４を介した上位局との通信・立ち上げ手順を実行制御し、レイヤ１終端部１に対しレイヤ１パスの設定を制御し、クロック生成部２に対しクロック選択設定変更制御を行い、さらにその他の必要な制御を行う。架内ＨＷＹ７はレイヤ１終端部を介して１．５Ｍ−ＨＷＹ上の送受信信号が中継転送される伝送路であり、またレイヤ２信号等の伝送路である。
【００１７】
図３は、図５（ｂ）および図５（ｃ）に示された２本の伝送回線と接続する親の無線基地局におけるクロック選択の例を示すフローである。無線基地局は、起動後、上位局からのデージーチェーン命令を受けて子の無線基地局と接続する伝送回線を知る。またデージーチェーン命令がないときは、無線基地局は自局の設定にしたがって複数の伝送回線のうちクロック選択すべき優先順を決める。
【００１８】
図３では、まず図２のレイヤ１終端部１−１から入力される参照クロック１が第１優先で選択される。この後、この参照クロック１が断になったとき、デージーチェーン構成ならば自局のクロック生成回路が出力している自走クロックが選択され、参照クロック１が復旧したならば再び参照クロック１が選択される。
【００１９】
デージーチェーン構成でないとき、参照クロック１が断になった場合、設定された優先順にしたがってレイヤ１終端部１−２から抽出される参照クロック２が選択される。この後、参照クロック２が選択されている間に参照クロック１が復旧しても、クロック選択の頻繁な変更を抑制するため参照クロック２の選択が維持される。参照クロック２が断になったとき、自走クロックが選択され、参照クロックが復旧したときはその参照クロックが選択される（両方とも復旧したときは参照クロック１が優先的に選択される）。
【００２０】
図４は上位局と無線基地局との他の接続例を示す。図４（ａ）は親の無線基地局と子の無線基地局との間の伝送回線が複数（この場合は２本）配置される例である。図４（ｂ）は親の無線基地局に２つの子の無線基地局が接続する場合である。上位側の伝送回線が複数とすればクロック同期の信頼性を増すことが可能となる。これらの場合にも本発明のクロック選択方法は有効である。
【００２１】
【発明の効果】
本発明のクロック接続方法は、デージーチェーン構成の無線基地局が上位局との間でパスを立ち上げるとき、上位局からの指令を受けて、子の無線基地局につながる伝送回線をクロック選択の候補から除外するため、無線基地局側でクロックが不安定になることを容易に防止でき、このための特別なハードウェア構成を必要としない。
【図面の簡単な説明】
【図１】無線基地局と上位局との間のパス設定の手順の例を示す図。
【図２】無線基地局の構成例を示すブロック図。
【図３】親の無線基地局でのクロック選択方法の例を示すフロー図。
【図４】無線基地局間の他の構成例を示す図。
【図５】無線基地局と上位局間の接続構成の例を示す図。
【符号の説明】
１−１、１−２　　レイヤ１終端部
２　　クロック生成部
３　　抽出クロック
４　　レイヤ２終端部
５　　主制御部
６　　制御バス
７　　架内ＨＷＹ
【図１】
2004032451.tif 000003
【図２】
2004032451.tif 000004
【図３】
2004032451.tif 000005
【図４】
2004032451.tif 000006
【図５】
2004032451.tif 000007